(57)【要約】【課題】ホームページなどにアクセスしなくても簡単に写真を注文することができ、しかも受け取った写真に視覚的な違和感を生じにくい写真販売システムを提供する。【解決手段】縮小した写真４５Ｂと二次元コード４５Ａとの組み合わせからなる一覧表４５が、施設Ｓに掲示されているので、その施設Ｓに訪れた保護者Ｈが、この一覧表４５の中から希望する縮小写真４５Ｂに対応する二次元コード４５Ａを読取って、クラウドサーバ２０にアクセスすれば、クラウドサーバ２０を通じて注文一覧情報がラボ装置３０に送信され、その注文一覧情報に基づき印刷部３６から希望する写真を印刷出力して、保護者Ｈに引き渡すことができる。【選択図】図１
2011237864.tif 000002
【特許請求の範囲】
【請求項１】
施設の利用者が保有する携帯端末との間で通信が可能なセンター装置と、
前記センター装置との間で通信が可能なラボ装置とを備え、
前記ラボ装置は、前記施設で撮影した画像データと、その画像データに対応する固有のデータを第１の記憶部に記憶保持させる撮影受付手段と、
前記画像データを写真とし、前記固有のデータを符号体として、前記施設で掲示が可能な一覧表を印刷部に印刷出力させると共に、前記画像データと前記固有データを前記センター装置に送信する写真提出手段と、
前記センター装置からの注文一覧情報を受信すると、その注文一覧情報に含まれる前記固有のデータに対応した前記画像データを前記第１の記憶部から抽出して、前記印刷部に写真として印刷出力させる注文処理手段とを備え、
前記センター装置は、前記写真提出手段により送信された前記画像データと前記固有データを第２の記憶部に記憶させる撮影管理手段と、
前記携帯端末で読取った前記符号体の情報を含んだ注文データを、当該携帯端末から受取ると、前記符号体の情報に対応した前記固有のデータを前記第２の記憶部から読み出し、これを前記注文一覧情報として前記注文処理手段に送出する注文受付手段とを備えたことを特徴とする写真販売システム。
【請求項２】
前記固有のデータとは、前記画像データと共に撮影時に記録される撮影データであることを特徴とする請求項１記載の写真販売システム。
【請求項３】
前記注文データは、前記携帯端末で読取った前記符号体の情報に前記利用者を特定する情報を含めて構成され、
前記注文一覧情報は、前記第２の記憶部から読み出した前記固有のデータと、前記注文データに含まれる前記利用者を特定する情報とを関連付けて構成され、
前記注文処理手段は、受信した前記注文一覧情報に含まれる前記固有のデータに対応した前記画像データを前記第１の記憶部から抽出して、前記利用者毎に写真として振り分けて前記印刷部に印刷出力させるものであることを特徴とする請求項１または２記載の写真販売システム。
【発明の詳細な説明】
【技術分野】
【０００１】
本発明は、幼稚園，保育園あるいは支援センターなどの各種施設で撮影された画像を、当該施設の利用者に提示し、その中から利用者が選択した画像を個々に販売する写真販売システムに関する。
【背景技術】
【０００２】
従来、各種施設において催事（例えば運動会や遠足など）が行われる場合は、施設の職員や施設に専属する写真屋などの専門業者が撮影した複数枚の写真を、例えばクラス毎に分類して施設に納品することで、施設側では掲示板などに各写真を一定期間掲示して、当該写真の注文を受け付けるようにしていた。この注文は具体的には、例えば封筒などに希望する写真に対応した番号と枚数を書き込んでもらい、その封筒を注文書として写真屋に送付することからなり、当該写真屋で焼き増しした写真を封筒に入れて、注文した各利用者に渡すのと引き換えに、利用者がその封筒に所定の金額を入れて写真屋に返送することで、注文した写真の料金請求と回収を行っていた。
【０００３】
しかしながら、大勢の利用者が一度に複数枚の写真を注文するため、希望する写真が正しく注文されなかったり、その後の写真の料金請求や回収が正しく行なわれなかったりする不都合が度々生じていた。
【０００４】
こうした問題に対し、撮影した画像データを販売管理装置に転送すると、ネットワークを介してクラス別やカテゴリ別に画像データが表示され、利用者が気に入った画像データを選択して課金処理することで、最寄りのプリンタ装置に転送された画像データから、希望する写真を印刷出力することができる写真販売システムが、例えば特許文献１などに提案されている。
【先行技術文献】
【特許文献】
【０００５】
【特許文献１】特開２００３−２５６１８５号公報
【発明の概要】
【発明が解決しようとする課題】
【０００６】
しかし、上記特許文献１に開示される写真販売システムでは、次のような問題が懸念される。
【０００７】
利用者に提示される画像データは、例えばホームページなどに閲覧公開されるが、これは利用者がパソコンなどの端末を備えていて、そこからホームページにアクセスしなければ閲覧することができない。また、ネットワークを介して表示される画像データは、後でプリンタ装置により印刷出力された写真とは色合いや伸縮率などが微妙に異なる。したがって、利用者が実際の写真を手にしたときに、視覚的に違和感を持つ可能性がある。
【０００８】
本発明は上記問題点に着目してなされたもので、ホームページなどにアクセスしなくても簡単に写真を注文することができ、しかも受け取った写真に視覚的な違和感を生じにくい写真販売システムを提供することを目的とする。
【課題を解決するための手段】
【０００９】
本発明の写真販売システムは、上記目的を達成するために、施設の利用者が保有する携帯端末との間で通信が可能なセンター装置と、前記センター装置との間で通信が可能なラボ装置とを備え、前記ラボ装置は、前記施設で撮影した画像データと、その画像データに対応する固有のデータを第１の記憶部に記憶保持させる撮影受付手段と、前記画像データを写真とし、前記固有のデータを符号体として、前記施設で掲示が可能な一覧表を印刷部に印刷出力させると共に、前記画像データと前記固有データを前記センター装置に送信する写真提出手段と、前記センター装置からの注文一覧情報を受信すると、その注文一覧情報に含まれる前記固有のデータに対応した前記画像データを前記第１の記憶部から抽出して、前記印刷部に写真として印刷出力させる注文処理手段とを備え、前記センター装置は、前記写真提出手段により送信された前記画像データと前記固有データを第２の記憶部に記憶させる撮影管理手段と、前記携帯端末で読取った前記符号体の情報を含んだ注文データを、当該携帯端末から受取ると、前記符号体の情報に対応した前記固有のデータを前記第２の記憶部から読み出し、これを前記注文一覧情報として前記注文処理手段に送出する注文受付手段とを備えている。
【００１０】
この場合の前記固有のデータとは、好ましくは前記画像データと共に撮影時に記録される撮影データである。
【００１１】
また前記注文データは、前記携帯端末で読取った前記符号体の情報に前記利用者を特定する情報を含めて構成され、前記注文一覧情報は、前記第２の記憶部から読み出した前記固有のデータと、前記注文データに含まれる前記利用者を特定する情報とを関連付けて構成され、前記注文処理手段は、受信した前記注文一覧情報に含まれる前記固有のデータに対応した前記画像データを前記第１の記憶部から抽出して、前記利用者毎に写真として振り分けて前記印刷部に印刷出力させるものである。
【発明の効果】
【００１２】
請求項１の発明では、写真と符号体との組み合わせからなる一覧表が、施設に掲示されているので、施設に訪れた利用者が、この一覧表の中から希望する写真に対応する符号体を読取って、センター装置にアクセスすれば、センター装置を通じて注文一覧情報がラボ装置に送信され、その注文一覧情報に基づき印刷部から希望する写真を印刷出力して、利用者に引き渡すことができる。したがって、ホームページなどにアクセスしなくても簡単に写真を注文することができ、しかも受け取った写真に視覚的な違和感を生じにくい写真販売システムを提供できる。
【００１３】
請求項２の発明では、画像データを識別するために固有のデータをわざわざ入力しなくても、画像データと共に撮影時に記録される撮影データを固有のデータとして利用すれば、そうした入力の手間を省くことができる。
【００１４】
請求項３の発明では、利用者が携帯端末からセンター装置に送出する注文データには、その利用者を特定する情報が含まれていることから、大勢の利用者から注文を受け付けた場合でも、利用者毎に振り分けて写真を正しく印刷出力させることができる。
【図面の簡単な説明】
【００１５】
【図１】本発明における写真販売システムの概要を示す説明図である。
【図２】同上、ラボ装置の構成を示すブロック図である。
【図３】同上、クラウドサーバの構成を示すブロック図である。
【発明を実施するための形態】
【００１６】
以下、添付図面を参照して、本発明の好適な実施例について説明する。
【００１７】
図１は、本発明で提案する写真販売システム１００の概要を示している。当該システム１００は、例えば保育園，幼稚園，支援センターなどの各種施設Ｓに子供を預ける保護者Ｈを利用者として、この保護者Ｈが普段から保有する携帯電話１０の機能を利用している。またシステム１００は、一乃至複数の施設Ｓで撮影された画像データを統括的に管理するクラウドサーバ２０と、施設Ｓに専属する例えば写真屋に設置され、画像データを写真に印刷出力するラボ装置３０とを備えて構成される。ここでの携帯電話１０は、保護者Ｈが携帯可能な携帯端末として、好ましくは二次元コードなどの符号体を読取るコード読取部１１と、その読取った符号体の情報と保護者Ｈを特定する情報とを、システム１００のセンター装置であるクラウドサーバ２０に注文データとして送信する送信部１２を、少なくとも備えていればよい。その他の一般的な携帯電話１０の機能については、本発明と直接関係がないので説明を省略する。
【００１８】
図２は、ラボ装置３０のより具体的な構成を示している。同図において、２１は例えばＵＳＢメモリなどの着脱可能な記憶媒体であり、ここには専門の写真家や施設Ｓの職員が図示しないデジタルカメラなどで撮影した複数の画像データが記憶保持される。また、それぞれの画像データには、当該画像に関するデータ（例えば、露出時間や焦点距離など）や撮影日時などの撮影データが添付される。撮影データは各画像データに固有のもので、ここでは撮影データを個々の画像データの識別子として利用する。
【００１９】
一方、写真屋に設置されるラボ装置３０は、制御処理部３１と、前記記憶媒体２１が装着可能なリーダー部３２と、各種情報やデータの書き込みおよび読み出しが可能な記憶部３３と、キーボードやマウスなどで構成される操作部３４と、操作内容などを表示する表示部３５と、印刷紙などに印字出力が可能な印刷部３６と、遠隔地にあるクラウドサーバ２０との通信を可能にする通信部３７とを、ハードウェア構成として備えている。
【００２０】
制御処理部３１は、操作部３４からの操作入力や、通信部３７を経由してクラウドサーバ２０から送信される注文一覧情報などに基づいて、表示部３５や印刷部３６のみならず、他のラボ装置３０の各部の動作を制御するもので、ここでは特にシステム１００に関連する機能的な構成として、撮影受付手段４１と、写真提出手段４２と、注文処理手段４３とを備えている。
【００２１】
撮影受付手段４１は、リーダー部３１に記憶媒体２１が装着されると、その記憶媒体に記憶される画像データと撮影データを読取って、記憶部３３に記憶保持するもので、当該記憶部３３に記憶された画像データと撮影データは、操作部３４からの操作入力により削除されない限り、何時でも読出しが可能になっている。
【００２２】
写真提出手段４２は、記憶部３３に記憶された画像データの中で、利用者である保護者Ｈに提示できる画像データを操作部３４からの操作入力で選択すると、その選択した画像データを縮小した写真４５Ｂとして一覧で出力させ、且つ各々の縮小写真４５Ｂの近傍に、その縮小写真４５Ｂに対応する撮影データを二次元バーコード４５Ａとして出力させるように、印刷部３６を制御するものである。この印刷部３６で出力される二次元バーコード付き縮小写真の一覧表４５は、記憶媒体２１を受け付けた施設Ｓで利用者に提示される。またこの写真提出手段４２は、前記選択した画像データと、それに対応する撮影データを、通信部３７を経由してクラウドサーバ２０にアップロードする機能をも有する。
【００２３】
注文処理手段４３は、クラウドサーバ２０から通信手段３７を経由して送信された注文一覧情報から、この注文一覧情報に一致する画像データを記憶部３３から抽出して、その画像データを写真４６として印刷部３６に印刷出力させるものである。前記注文一覧情報には、注文者を特定する情報も含まれているので、ラボ装置３０の印刷部３６は注文者毎に一乃至複数枚の写真４６を振り分けて出力することもできる。
【００２４】
図３は、クラウドサーバ２０のより具体的な構成を示している。同図において、ここでのクラウドサーバ２０は、制御処理部５１と、通信部５２と、記憶部５３とをハードウェア構成として備えている。この中で通信部５２は、前述した携帯電話１０やラボ装置３０などとの間の送受信を可能にするものである。また制御処理部５１は、システム１００に関連する機能的な構成として、撮影管理手段６１と、注文受付手段６２と、課金指示手段６３とを備えている。
【００２５】
撮影管理手段６１は、ラボ装置３０から通信部５２を経由して送信される画像データと撮影データを含む注文リストを、記憶部５３に記憶保持させると共に、必要に応じて当該画像データと、その画像データに対応した撮影データの二次元バーコードを、インターネットのホームページ上に閲覧可能に表示させる機能を有する。なお、保護者Ｈ以外の第三者の閲覧を規制するために、パソコンなどの端末（図示せず）からパスワードの入力を求め、そのパスワードが予め登録した認証情報と一致しない限り、二次元バーコード付き画像データの閲覧を禁止する認証手段を、当該撮影管理手段６１に組み込んでもよい。
【００２６】
注文受付手段６２は、通信部５２を経由して一乃至複数の携帯電話１０からの注文データを受信すると、当該注文データに一致する撮影データを記憶部５３から全て読み出し、これを注文データに含まれる保護者Ｈを特定する情報と関連付けて、クラウドサーバ２０の通信部５２からラボ装置３０に注文一覧情報として送出する機能を有する。
【００２７】
課金指示手段６３は、前記注文データを受信したときに、必要に応じて保護者Ｈが入会する現金レス／カード会社Ｔ（図１を参照）に課金情報を送出するもので、この場合は保護者Ｈが注文した写真の代金支払いが、当該課金情報に基づき現金レス／カード会社Ｔを通して決済される。
【００２８】
次に、上記システム１００を利用した撮影から写真の受取りまでの一連の手順を説明する。因みに、以下に説明する各ステップの番号は、図１にそれぞれ示されている。
【００２９】
先ず第１ステップでは、撮影した画像データおよび撮影データの受付が行われる。具体的には、例えば運動会や遠足などの催事に関係して、専門の写真家や施設Ｓの職員がデジタルカメラなどで撮影した画像データを、例えばＵＳＢメモリなどの記憶媒体２１に記憶させて、ラボ装置３０を備えた写真屋に送付する。前記デジタルカメラによる撮影時には、画像データのみならず撮影データも共に記録されるので、撮影者は撮影データの入力を意識せずに行なうことができる。これにより記憶媒体２１には、それぞれの画像データについて、当該画像に関するデータや撮影日時などの撮影データが添付される。
【００３０】
次のステップ２では、施設Ｓで掲示される注文用の一覧表４５の作成と、その注文リストのアップロードが行われる。これは先ず、前記記憶媒体２１をラボ装置３０のリーダー部３２に装着すると、制御処理部３１の撮影受付手段４１によって、記憶媒体２１に記憶された全ての画像データおよび撮影データが記憶部３３に記憶保持される。これらの画像データや撮影データは、ラボ装置３０の表示部３５によって個々に閲覧することができ、また必要に応じて画像パラメータ（例えば、画像の色調や輝度など）を補正することもできる。
【００３１】
続いて操作部３４を適宜操作して、表示部３５に表示される画像データの中から、保護者Ｈに提示できる画像データを一乃至複数選択すると、写真提出手段４２によって、当該画像データとそれに関連する撮影データが、各々縮小写真４５Ｂと二次元バーコード４５Ａとによる一覧形式の一覧表４５として、印刷部３６から印刷出力される。また写真提出手段４２は、その選択した画像データと撮影データを含んだ注文リストを、通信部３７を経由してクラウドサーバ２０に送信（アップロード）する。当該注文リストには、どの施設Ｓで撮影したものなのかを示す施設情報も含まれているので、複数のラボ装置３０と通信部５２を介して接続するクラウドサーバ２０は、アップロードされた注文リストがどの施設Ｓを対象としたものなのかを、注文リスト内の施設情報を読み出すことで把握できる。
【００３２】
こうして、印刷部３６で印刷出力された一覧表４５を施設Ｓ側で受取ると、その一覧表４５Ａは、施設Ｓに訪れた保護者Ｈが確認できる例えば掲示板などに一定期間掲示される。施設Ｓ内に一覧表４５を掲示することで、保護者Ｈ以外の第三者が不意に縮小写真４５Ｂを閲覧する機会が減り、従来のホームページに画像データを閲覧公開する形態よりも、利用者である保護者Ｈや園児に対するプライバシーが確保される。なお、本実施例ではラボ装置３０の印刷部３６を通して一覧表４５を印刷出力したが、例えば選択した画像データと撮影データを圧縮化して媒体に記憶し、これを施設Ｓに引き渡して、施設Ｓに備えた印刷装置（図示せず）から一覧表４５を印刷出力するようにしてもよい。
【００３３】
一方、クラウドサーバ２０側では、通信部５２を通して前記注文リストを受信すると、撮影管理手段６１がこれを記憶部５３に記憶保持させる。また必要に応じて、注文リストの画像データと、対応する撮影データの二次元バーコードを、インターネットのホームページ上に閲覧可能に表示させてもよい。これにより、保護者Ｈが施設Ｓを一定期間内に訪問できない場合に、ホームページ上で画像データを確認することができる。また、注文リストは施設Ｓ毎にファイル化されて記憶部５３に記憶保持されるので、施設Ｓに備えた端末からクラウドサーバ２０にアクセスし、記憶部５３にファイル化された注文リストを読み出すことで、一定期間が過ぎた後にどのような一覧表４５を提示していたのかを、施設Ｓで把握することもできる。
【００３４】
次のステップＳ３では、携帯電話１０を利用した注文が行われる。一覧表４５および前記ホームページ上の表示には、何れも二次元バーコード４５Ａが設けられているので、注文したい写真に対応した二次元バーコード４５Ａを携帯電話１０のコード読取部１１で読み取り、送信部１２を利用して、その読取った二次元バーコードの情報に保護者Ｈを特定する情報を含めた注文データを、クラウドサーバ２０に送信することで、写真の注文が完了する。保護者Ｈの携帯電話１０から個々に送信された注文データは、一定の期間が経過するまで記憶部５３に記憶保持される。
【００３５】
特に本実施例では、施設Ｓに訪れた保護者Ｈが、実際の写真４６に近い感覚の縮小写真４５Ｂを見ながら、注文したい写真４６を選ぶことが可能になり、最終的に受け取った写真４６に対する視覚的な違和感を和らげることができる。また仮に、一定期間内Ｓに保護者Ｈが施設Ｓに訪れることができなくても、ホームページ上の表示から同様に携帯電話１０を利用して簡単に希望する写真４６を注文することができる。さらに、一覧表４５の掲示期間を過ぎて保護者Ｈが施設Ｓを訪れた場合は、前記ファイル化した注文リストを施設Ｓの端末によりダウンロードすれば、その保護者Ｈに対して適切な処置を講ずることができる。
【００３６】
またクラウドサーバ２０は、保護者Ｈの保有する携帯電話１０から注文データを受け取ると、その注文データの内容（例えば、縮小した画像データ）を添付した確認の電子メールを、当該携帯電話１０に返信する構成とするのが好ましい。このような電子メールを携帯電話１０側で確認することで、保護者Ｈ側の注文ミスを減らすことが可能になる。
【００３７】
次のステップ４では、クラウドサーバ２０からラボ装置３０への発注が行われる。これは一定期間が経過した後に、注文受付手段６２がそれまで受信した個々の注文リストを記憶部５３から読み出し、それらの注文データに一致する撮影データを同じ記憶部５３から全て読み出す。そして、各撮影データについて、これらを注文データに含まれる保護者Ｈを特定する情報と関連付け、通信部５２から施設Ｓに該当する写真屋のラボ装置３０に注文一覧情報として送出する。
【００３８】
次のステップ５では、納品と請求袋の発送が行われる。ラボ装置３０が通信部３７を通してクラウドサーバ２０からの注文一覧情報を受け取ると、注文処理手段４３からの指示により、印刷部３６は注文者毎に一乃至複数枚の写真４６を振り分けて印刷出力する。写真屋では保護者Ｈ毎に、請求金額を記入した袋に注文した写真４６を添えて、これを施設Ｓに納品する。続くステップ６では、各保護者Ｈに写真４６月の請求袋が引き渡され、それによって該当金額を入れた請求袋が施設Ｓを通して写真屋に返送されることで、支払いが完了する（ステップ７，８）。なお、ステップ５〜８に請求と支払いの手順は、クラウドサーバ２０に備えた課金指示手段６３から現金レス／カード会社Ｔを通して、写真屋との間で行うことも可能である。
【００３９】
以上のように本実施例では、施設Ｓの利用者である保護者Ｈが保有する携帯電話１０との間で通信が可能なクラウドサーバ２０と、このクラウドサーバ２０との間で通信が可能なラボ装置３０とを備え、前記ラボ装置３０は、施設Ｓで撮影した画像データと、その画像データに対応する固有のデータとしての撮影データを第１の記憶部３３に記憶保持させる撮影受付手段４１と、撮影により取得した画像データを縮小した写真４５Ｂとし、また撮影データを符号体としての二次元コード４５Ａとして、施設Ｓでの掲示が可能な一覧表４５を印刷部３６に印刷出力させると共に、それらの画像データと撮影データをクラウドサーバ２０に送信する写真提出手段４２と、クラウドサーバ２０からの注文一覧情報を受信すると、その注文一覧情報に含まれる撮影データに対応した画像データを記憶部３３から抽出して、印刷部３６に写真として印刷出力させる注文処理手段４３とを備え、クラウドサーバ２０は、写真提出手段４２により送信された画像データと撮影データを第２の記憶部５３に記憶させる撮影管理手段６１と、携帯電話１０で読取った二次元コード４５Ａの情報を含んだ注文データを、この携帯電話１０から受取ると、二次元コード４５Ａの情報に対応した撮影データを記憶部５３から読み出し、これを注文一覧情報として注文処理手段４３に送出する注文受付手段６２とを備えている。
【００４０】
この場合、縮小した写真４５Ｂと二次元コード４５Ａとの組み合わせからなる一覧表４５が、施設Ｓに掲示されているので、その施設Ｓに訪れた保護者Ｈが、この一覧表４５の中から希望する縮小写真４５Ｂに対応する二次元コード４５Ａを読取って、クラウドサーバ２０にアクセスすれば、クラウドサーバ２０を通じて注文一覧情報がラボ装置３０に送信され、その注文一覧情報に基づき印刷部３６から希望する写真を印刷出力して、保護者Ｈに引き渡すことができる。したがって、ホームページなどにアクセスしなくても簡単に写真４６を注文することができ、しかも受け取った写真４６に視覚的な違和感を生じにくい写真販売システムを提供できる。
【００４１】
また、ここでの固有のデータとは、画像データと共に撮影時に記録される撮影データである。したがって、画像データを識別するために固有のデータをわざわざ入力しなくても、画像データと共に撮影時に記録される撮影データを固有のデータとして利用すれば、そうした入力の手間を省くことができる。
【００４２】
さらに、ここでの注文データは、携帯電話１０で読取った二次元コード４５Ａの情報に保護者Ｈを特定する情報を含めて構成され、前記注文一覧情報は、記憶部５３から読出した撮影データと、注文データに含まれる保護者Ｈを特定する情報とを関連付けて構成され、ラボ装置３０の注文処理手段４３は、受信した注文一覧情報に含まれる撮影データに対応した画像データを記憶部３３から抽出して、保護者Ｈ毎に写真として振り分けて印刷部３６に印刷出力させるように構成される。
【００４３】
そのため、保護者Ｈが携帯電話１０からクラウドサーバ２０に送出する注文データには、その保護者Ｈを特定する情報が含まれていることから、大勢の保護者Ｈから注文を受け付けた場合でも、保護者Ｈ毎に振り分けて写真を正しく印刷出力させることができる。
【００４４】
しかも本実施例では、クラウドサーバ２０が携帯電話１０から注文データを受取ると、その携帯電話１０に対して注文データに対応した情報を電子メールで返送する機能を備えている。このような電子メールを携帯電話１０側に送信することで、保護者Ｈ側の注文ミスを減らすことが可能になる。
【００４５】
なお本発明は、本実施例に限定されるものではなく、本発明の要旨の範囲内で種々の変形実施が可能である。たとえば、本実施例では撮影した画像データと撮影データの引渡しを記憶媒体２１によって行っているが、施設Ｓに備えた端末から、こうした画像データと撮影データを、通信手段を介してラボ装置３０に転送する構成としてもよい。また、ラボ装置３０の構成を施設Ｓに持たせることも可能である。
【符号の説明】
【００４６】
１０  携帯端末（携帯電話）
２０  クラウドサーバ（センター装置）
３０  ラボ装置
３３  第１の記憶部
３６  印刷部
４１  撮影受付手段
４２  写真提出手段
４３  注文処理手段
４５  一覧表
５３  第２の記憶部
６１  撮影管理手段
６２  注文受付手段
【図１】
2011237864.tif 000003
【図２】
2011237864.tif 000004
【図３】
2011237864.tif 000005